(57)【要約】【課題】  宝くじ当選金の立て替え払い決済の簡便化を図る。【解決手段】  宝くじ券を、クライアント端末２００のスキャン入力部２４０でスキャンし、宝くじ券種別を特定する宝くじ情報と宝くじ番号とを入手する。この宝くじ情報と宝くじ番号とに基づいて、クライアント端末２００の側から当選データ管理サーバ１００に対して当選照合を行い、当選宝くじ券については、印刷部２３０で、その当選宝くじ券に当選表示を印刷する。クライアント端末２００は、当選表示印刷済み当選宝くじ券についてのイメージデータを、クライアント端末を特定するデータと共に当選金管理サーバ１１０に送信する。【選択図】  図２
2006107333.tif 000002
【特許請求の範囲】
【請求項１】
宝くじの当選に関するデータを管理する当選データ管理サーバと、個々のクライアントが有するクライアント端末とを、ネットワークを介在させて相互に通信可能とし、前記当選データ管理サーバと前記クライアント端末を用いて宝くじサービスを行うシステムであって、
宝くじ券を前記クライアント端末においてスキャンし、該宝くじ券に記録されたデータを読み取って宝くじ券の種別を特定する宝くじ情報と宝くじ番号とを入手するスキャン入力部と、
前記入手した宝くじ情報と宝くじ番号とに基づいて、前記当選管理サーバに対して前記クライアント端末の側から当選照合を行う当選照合部と、
当選照合の結果、当選とされた当選宝くじ券については、前記当選宝くじ券に、当選くじ券と判別できる旨の当選表示を前記クライアント端末においてマーキングするマーキング部と、
前記当選表示のマーキング済みの前記当選宝くじ券について、前記当選表示と前記宝くじ情報と前記宝くじ番号とを含む前記当選宝くじ券のイメージデータを前記クライアント端末において構築するイメージデータ構築部と、
前記構築した前記当選宝くじ券のイメージデータを、前記クライアント端末を特定するデータと共に、当選金支払いを管理する当選金管理サーバに前記ネットワークを介して前記クライアント端末の側から送信するイメージデータ送信部とを備える
宝くじサービスシステム。
【請求項２】
請求項１記載の宝くじサービスシステムであって、
前記イメージデータ構築部は、前記当選表示のマーキング済みの前記当選宝くじ券をスキャンすることで前記当選宝くじ券イメージデータを構築する
宝くじサービスシステム。
【請求項３】
請求項１または請求項２に記載の宝くじサービスシステムであって、
更に、
前記当選宝くじの当選金額と、前記クライアント端末において当選金の支払いが許可されている当選金額とを比較し、前者の当選金額が後者の当選金額以下であれば、前記クライアント端末において前記当選宝くじの当選金額を支払う当選金支払部を有する
宝くじサービスシステム。
【請求項４】
請求項１ないし請求項３いずれかに記載の宝くじサービスシステムであって、
更に、
前記当選宝くじの当選金額に応じて、宝くじ券の所定箇所への所定事項の記入の要否を判別する記入判別部と、
該記入判別部が前記所定事項記入の必要性を判断すると、前記所定箇所における前記所定事項記入を促すよう報知する報知部とを備え、
前記イメージデータ構築部は、
前記記入判別部が前記所定事項記入の必要性を判断すると、前記所定箇所への前記所定事項記入済みの当選宝くじ券のイメージデータをも構築する
宝くじサービスシステム。
【請求項５】
宝くじの当選に関するデータを管理する当選データ管理サーバと、個々のクライアントが有するクライアント端末とを、ネットワークを介在させて相互に通信可能とした宝くじサービスを行うシステムに用いる前記クライアント端末であって、
宝くじ券をスキャンし、該宝くじ券に記録されたデータを読み取って宝くじ券の種別を特定する宝くじ情報と宝くじ番号とを入手するスキャン入力部と、
前記入手した宝くじ情報と宝くじ番号とに基づいて、前記当選管理サーバに対して当選照合を行う当選照合部と、
当選照合の結果、当選とされた当選宝くじ券については、前記当選宝くじ券に、当選くじ券と判別できる旨の当選表示をマーキングするマーキング部と、
前記当選表示の印刷済みの前記当選宝くじ券について、前記当選表示と前記宝くじ情報と前記宝くじ番号とを含む前記当選宝くじ券のイメージデータを構築するイメージデータ構築部と、
前記構築した前記当選宝くじ券のイメージデータを、前記クライアント端末を特定するデータと共に、当選金支払いを管理する当選金管理サーバに前記ネットワークを介して送信するイメージデータ送信部とを備える
クライアント端末。
【請求項６】
宝くじの当選に関するデータを管理する当選データ管理サーバと、個々のクライアントが有するクライアント端末とを、ネットワークを介在させて相互に通信可能とし、前記当選データ管理サーバと前記クライアント端末を用いて宝くじの当選判別を行う方法であって、
宝くじ券を前記クライアント端末においてスキャンし、該宝くじ券に記録されたデータを読み取って宝くじ券の種別を特定する宝くじ情報と宝くじ番号とを入手する工程と、
前記入手した宝くじ情報と宝くじ番号とに基づいて、前記当選管理サーバに対して前記クライアント端末の側から当選照合を行う工程と、
当選照合の結果、当選とされた当選宝くじ券については、前記当選宝くじ券に、当選くじ券と判別できる旨の当選表示を前記クライアント端末においてマーキングするマーキング工程と、
前記当選表示の印刷済みの前記当選宝くじ券について、前記当選表示と前記宝くじ情報と前記宝くじ番号とを含む前記当選宝くじ券のイメージデータを前記クライアント端末において構築する工程と、
前記構築した前記当選宝くじ券のイメージデータを、前記クライアント端末を特定するデータと共に、当選金支払いを管理する当選金管理サーバに前記ネットワークを介して前記クライアント端末の側から送信する工程とを備える
宝くじの当選判別方法。
【発明の詳細な説明】
【技術分野】
【０００１】
本発明は、宝くじの当選に関するデータを管理する当選データ管理サーバと、個々のクライアントが有するクライアント端末とを、ネットワークを介在させて相互に通信可能とし、その当選データ管理サーバとクライアント端末を用いた宝くじのサービスシステムに関する。
【背景技術】
【０００２】
宝くじの販売元は地方自治体である。そして、地方自治体は宝くじの発売・当選金支払い等の業務を、所定の法律に基づいて銀行に委託している。委託を受けた銀行は、地方自治体が定めた発売計画に従って宝くじを発売し、当選金の支払い等を行う。
【０００３】
近年では、こうした宝くじの販売等の利便性を高めるための技術が種々提案されている（例えば、特許文献１）。
【０００４】
【特許文献１】特開２００２−１５１４８号公報
【０００５】
当選金は、その宝くじの購入者に支払われるのであるが、購入済み宝くじが持ち込まれた宝くじ販売店が、くじ購入者に当選金の立て替え払いをすることが一般的である。そして、立て替え払いをした販売店は、当選宝くじ券をくじ購入者から回収して当該当選宝くじ券を受託銀行等に持ち込み、立て替え払い分の金額の金銭を、受託銀行等に請求する。受託銀行等への立て替え払い請求と立て替え払い分の銀行からの払戻は、受託銀行等が予め定めた精算スケジュールに従って、当選宝くじ券の現物を受託銀行等へ持ち込むことで行われている。なお、受託銀行等を介した当選金の立て替え払い請求並びにその払戻に関する決済は、販売店が個々に行うほか、複数の販売店を総括する販売業者も行うことがある。
【発明の開示】
【発明が解決しようとする課題】
【０００６】
こうした当選金の立て替え払いの決済に際し、当選宝くじ券の持ち運び、それまでの保管等が必要となる。よって、くじ購入者から回収した当選宝くじ券の取り扱いに相当な注意を要し煩雑であった。また、受託銀行等への当選宝くじ券の持ち込みについても、精算スケジュールから外れてしまうと、当選金の立て替え払い決済を行うことができない事態となる。具体的に説明すると、銀行閉店後には、その当日に決済を行うことができず、翌日に、改めて決済を行う必要があった。よって、精算スケジュールについての注意も払う必要があり煩雑であった。加えて、持ち込んだ当選くじ券の受け渡し等に際しても、伝票記入等の手間を要していた。なお、こうした問題は、上記の特許文献で提案された宝くじシステムであっても解決には到っていない。
【０００７】
本発明は、上記問題点を解決するためになされ、当選金の立て替え払い決済の簡便化を図ることをその目的とする。
【課題を解決するための手段】
【０００８】
かかる課題の少なくとも一部を解決するため、本発明の宝くじサービスシステムでは、まず、宝くじ券を、クライアント端末においてスキャン入力部でスキャンし、その宝くじ券に記録されたデータを読み取って宝くじ券の種別を特定する宝くじ情報と宝くじ番号とを入手する。こうして入手した宝くじ情報と宝くじ番号とに基づいて、クライアント端末の側から当選照合部にて、宝くじの当選に関するデータを管理する当選データ管理サーバに対して当選照合を行う。そして、当選照合の結果、当選とされた当選宝くじ券については、クライアント端末においてマーキング部で、その当選宝くじ券に、当選くじ券と判別できる旨の当選表示をマーキングする。このマーキングの一例としては、インクを用いた印刷の他、穿孔パンチでのパンチングなどがある。なお、以下の説明では、マーキングを印刷として説明する。
【０００９】
この当選表示印刷により、当選宝くじを外れ券と容易に区別でき、その後の取り扱いや、判別が簡便となる。この場合、当選表示の印刷は、宝くじ情報と宝くじ番号が印刷等されているくじ券の面にすることが、当選宝くじ券の明確化の上で望ましい。
【００１０】
この当選表示の印刷済みの当選宝くじ券は、クライアント端末のイメージデータ構築部にてイメージデータとされ、そのイメージデータには、当選表示と宝くじ情報と宝くじ番号とが含まれる。つまり、イメージデータの状態で、当選宝くじ券の判別が可能とされる。こうした当選宝くじ券についてのイメージデータ構築に際しては、当選表示の印刷済みの当選宝くじ券をスキャンするようにすることができるほか、既にスキャン入力部でスキャンして取得したイメージデータに、当選表示の印刷イメージ、例えば、「当選」の文字の印刷イメージを重畳するようにすることもできる。前者の場合は、再度のスキャンが必要であるが、イメージデータの信頼性が高まり好ましい。
【００１１】
こうして構築した当選宝くじ券のイメージデータは、クライアント端末の側からイメージデータ送信部にて、当選金支払い管理の当選金管理サーバにネットワークを介して送信される。このデータ送信に際しては、このデータ送信を行うクライアント端末を特定するデータも当選金管理サーバに送信される。
【００１２】
従って、上記構成を有する本発明の宝くじサービスシステムによれば、当選金管理サーバの側で、送信を受けたデータに基づいて、クライアント端末に合致する口座に、イメージデータに合致する当選金を支払うことが可能となる。よって、当選宝くじの受託銀行等への当選宝くじ券の持ち込み・保管が不要となると共に、精算スケジュールについての注意も不要となるで、当選金の立て替え払い決済が簡便となる。
【００１３】
以上説明した本発明の宝くじサービスシステムは、種々の態様を採ることができる。例えば、更に、前記当選宝くじの当選金額と、前記クライアント端末において当選金の支払いが許可されている当選金額とを比較し、前者の当選金額が後者の当選金額以下であれば、前記クライアント端末において前記当選宝くじの当選金額を支払う当選金支払部を有するものとすることができる。こうすれば、クライアント端末において人手をかけずに、当選金の支払を行うことができるので、利便性が高まる。
【００１４】
また、上記構成に加えて、前記当選宝くじの当選金額に応じて、宝くじ券の所定箇所への所定事項の記入の要否を判別する記入判別部と、
該記入判別部が前記所定事項記入の必要性を判断すると、前記所定箇所における前記所定事項記入を促すよう報知する報知部とを備えるようにし、
前記イメージデータ構築部を、
前記記入判別部が前記所定事項記入の必要性を判断すると、前記所定箇所への前記所定事項記入済みの当選宝くじ券のイメージデータをも構築するようにすることもできる。
【００１５】
所定の額以上の当選金額の支払に際しては、その支払いを受ける購入者の住所・氏名を宝くじ券の所定箇所に記入する必要があり、こうした記入がないと当選金の支払ができない。ところが、上記の態様で有れば、所定事項の記入が必要で有れば、その記入を促すよう報知できるので、記入漏れをなくすことができる。これと共に、所定事項の記入済みの当選宝くじ券のイメージデータを当選金管理サーバに送信することができるので、当選金管理サーバの側での所定事項記入を促す必要がなく、簡便である。しかも、当選金管理サーバでは、当該所定事項記入をイメージデータで確認した後に決済を図ることができるので、決済の信頼性を高めることができる。
【００１６】
上記した本発明の宝くじサービスシステムは、種々の形態で実現することが可能であり、例えば、当該システムに用いるクライアント端末として実現できるほか、このクライアント端末に上記した宝くじサービスの機能を実現させるためのコンピュータプログラム、そのプログラムを記録した記録媒体等の形態で実現することができる。
【発明を実施するための最良の形態】
【００１７】
以下、本発明の実施の形態について、その実施例を図面に基づき説明する。図１は実施例の宝くじサービスの概要を示す説明図、図２は本実施例の宝くじサービスに含まれるクライアント端末をその機能ごとに示しつつ他の機器との関係を併記したブロック図である。
【００１８】
図示するように、実施例の宝くじサービスは、当選データ管理サーバ１００と、個々のクライアントが有する複数のクライアント端末２００と、当選金管理サーバ１１０とを、インターネット等のネットワークＮＷを介在させて相互に通信可能に備える。この場合、専用回線等の通信網を用いるようにすることもできる。
【００１９】
当選データ管理サーバ１００は、宝くじ券の発行自治体、或いは宝くじ業務の委託を受けている機関に設置されており、宝くじの当選に関するデータを管理する。例えば、宝くじの発行計画や、宝くじごとの当選番号、宝くじ種類等のデータを管理する。当選金管理サーバ１１０は、当選金支払業務を受託した受託銀行等に設置され、当選金支払いに際しての実際の金銭の入出金等を管理する。
【００２０】
クライアント端末２００は、宝くじの発売、或いは少額当選金の支払等の委託を受けているいわゆる販売店や販売業者、或いは、当選金支払業務を受託した受託銀行の発券窓口等に個別に設置される。そして、このクライアント端末２００は、以下に説明するような構成を備え、当選データ管理サーバ１００ばかりでなく、当選金管理サーバ１１０とに対してもデータ送受信を行う。クライアント端末２００からのデータ送受信は、個々のクライアント端末２００が個別に行えるように構成できるほか、次のようにすることもできる。
【００２１】
販売業者は、複数の販売店を管理下に置き、複数の販売店での宝くじの発売・少額当選金支払を一括して行う場合がある。こうした対応として、販売業者が管理下に置く複数のクライアント端末２００のうちで、後述するようなデータ送受信を相互に行い、ある特定のクライアント端末２００から、当選データ管理サーバ１００や当選金管理サーバ１１０に対してデータ送受信を行うようにすることもできる。
【００２２】
図２に示すように、クライアント端末２００は、コンピュータで構成される制御部２１０と、表示部２２０と、印刷部２３０と、スキャン入力部２４０と、宝くじ券の搬送部２５０と、当選金支払部２６０とを有する。制御部２１０は、表示部２２０等を統括制御するよう構成され、コンピュータが有するＣＰＵ、ＲＯＭ、ＲＡＭ等と後述するフローチャートの実行プログラムと相俟って、当選照合部２１２、イメージデータ構築部２１４、イメージデータ送信部２１６、記憶部２１８等を構成する。当選照合部２１２やイメージデータ構築部２１４等は図示しないバスにて相互に接続されているほか、表示部２２０や印刷部２３０等にあっても、制御部２１０とバスにて接続されている。なお、記憶部２１８については、ハードディスク等の外部の記憶媒体を用いることも可能である。
【００２３】
表示部２２０は、宝くじ券をその当選照合或いは払戻のためにクライアント端末２００に持ち込んだくじ購入者や、端末操作者に、本サービスを行う上で有益な情報を文字や図柄で表示する。印刷部２３０は、後述する処理により当選くじ券とされた宝くじ（当選宝くじ券）に当選くじ券と判別できる旨の当選表示、例えば、「当選」の文字の朱色印字や、その当選金額も印字を行う。図３は宝くじ券を模式的に表した説明図である。スキャン入力部２４０は、この図３の宝くじ券をスキャンし、その宝くじ券の種別を特定する宝くじ情報（宝くじ種別・開催数字：○○自治宝くじ第１９○△回）や宝くじ番号（０×組１２３４５６）を含む宝くじ券のイメージデータとして入手する。
【００２４】
搬送部２５０は、購入者が持ち込んだ宝くじ券ＴＫをくじ券投入口からスキャン入力部２４０や印刷部２３０に搬入したり、これらから宝くじ券をくじ券排出口に搬出したりするものであり、こうしたくじ券の搬送機構２５２を有する。当選金支払部２６０は、当選宝くじの当選金額を購入者に支払うよう構成され、図示しない紙幣・硬貨ストック部から当選金額と合致する金額の現金を支払う。
【００２５】
次に、上記構成のクライアント端末２００で行う当選処理について説明する。図４は宝くじ券の当選処理の内容の前半部分を示すフローチャート、図５は当選処理の内容の後半部分を示すフローチャート、図６は当選処理において種々の表示を行う表示部２２０の一例を示す説明図である。
【００２６】
クライアント端末２００は、通常、図４および図５に示す当選処理の待機状態にあり、図６の表示部２２０において、そのメッセージ欄に「当選金支払処理の実行待機中です。」等の表示を行う。そして、この表示状態において図示する確認ボタンが操作されると、クライアント端末２００は、当選処理を実行し、まず、搬送部２５０のくじ券挿入孔の開放等の宝くじ券の挿入準備を行う（ステップＳ３００）。次に、挿入された宝くじ券を搬送機構２５２によりスキャン入力部２４０に搬送し、当該スキャン入力部にて宝くじ券の表面（くじ図柄印刷面）をスキャンする（ステップＳ３１０）。これにより、挿入宝くじ券表面のイメージデータが所得される。
【００２７】
その後、クライアント端末２００は、スキャン結果から、当選を判別するに足りる情報、例えば図３に示す宝くじ券の種別を特定する宝くじ情報（宝くじ種別・開催数字：○○自治宝くじ第１９○△回）や宝くじ番号（０×組１２３４５６）をデータ化する（ステップＳ３２０）。そして、その当選判別データに基づいて、宝くじ券の当選照会を行う（ステップＳ３３０）。
【００２８】
この当選照会は、種々の態様で実行できる。例えば、クライアント端末２００は、当選判別データを当選データ管理サーバ１００にネットワークＮＷを介して送信し、当選データ管理サーバ１００は、この当選判別データに対応する当選情報（当選番号・当選金額）をクライアント端末２００に送信する。そして、クライアント端末２００にて、この当選情報データと当選判別データに基づいて、宝くじ券の当選を判別するようにすることができる。或いは、クライアント端末２００は、当選判別データを当選データ管理サーバ１００にネットワークＮＷを介して送信し、このデータに基づいて当選データ管理サーバ１００が当選判別を下してその結果（当選・当選金額・外れ）をクライアント端末２００に送信するようにすることもできる。
【００２９】
クライアント端末２００は、上記した当選判別照会の結果、挿入宝くじ券に当選宝くじ券が含まれているか否かを判定し（ステップＳ３４０）、外れ券であれば所定のストック箇所にストックする（ステップＳ３５０）。一方、当選宝くじ券であれば、その当選金額がクライアント端末２００（詳しくは、クライアント端末２００を有する販売店・販売業者）にて当選金支払が許可されている所定の金額（例えば、５万円）であるか否かを判定し（ステップＳ３６０）、当選金額がこの所定金額を超えていれば高額当選宝くじ券として所定のストック箇所にストックする（ステップＳ３７０）。この高額当選宝くじ券ストックに際しては、その旨を表示部２２０にて報知（表示）するよう構成することもできる。つまり、図６のメッセージ欄に「高額当選です。銀行にて換金してください。」等の表示を行う。その上の表示画面には、当選金額と宝くじ券のイメージを表示したりすることもできる。なお、ステップＳ３５０、３７０でストックされた宝くじ券は、後述の処理にて一括して宝くじ購入者に返却される。
【００３０】
ステップＳ３６０で支払可能の判定に続いては、クライアント端末２００の当選金支払部２６０による当選金支払を実行するか否かを判定する（ステップＳ３８０）。当選金支払の実行判定は、次の理由から行う。
【００３１】
ある宝くじ券についてのステップＳ３６０までの処理により、当該宝くじ券が支払可能な当選金の当選宝くじ券であっても、当選金支払部２６０での当選金支払が不要な場合がある。例えば、ステップＳ３００にて複数枚の宝くじが挿入されその中に高額当選金の他の当選宝くじ券が含まれていたり、くじ購入者が当選金の換金を宝くじ券を持ち込んだクライアント端末２００にて所望しない場合も有りえる。こうした場合は、ステップＳ３６０で支払可能であると判定しても、その当選金をクライアント端末２００にて支払う必要がない。こうした事態に対処するため、ステップＳ３８０の支払実行判定を行う。
【００３２】
このステップＳ３８０での判定（支払実行判定）は、例えば次のように構成できる。ステップＳ３６０にて支払可能な当選金額と判定すると、クライアント端末２００は、図６の表示部２２０のメッセージ欄に「当選金支払を実行します。」等の表示を行い、この表示の開始から所定時間のうちに図示する確認ボタンが操作されると、当選金の支払を実行すると判定する。一方、所定時間内に確認ボタンの操作がなければ、当選金の支払を実行しないと判定する。
【００３３】
ステップＳ３８０で当選金の支払を実行しないと判定すると、強制返却宝くじ券として所定のストック箇所にストックする（ステップＳ３９０）。この強制返却宝くじ券についても、高額当選宝くじ券と同様、後述の処理にて一括して宝くじ購入者に返却される。
【００３４】
ステップＳ３８０で当選金支払を実行すると判定した場合、クライアント端末２００は、その支払対象となる当選宝くじ券についてステップＳ３１０でしたイメージデータとステップＳ３３０で照会した当選金データ（当選金金額データ）を記憶する（ステップＳ４００）。次いで、クライアント端末２００は、この当選宝くじ券に当選の旨とその当選金額を印刷し（ステップＳ４１０）、その印刷済みの当選宝くじ券をストックする（ステップＳ４２０）。図７は当選宝くじ券における印刷の様子を示す説明図である。ステップＳ４１０での処理は次の通りである。
【００３５】
クライアント端末２００は、搬送機構２５２にて印刷部２３０に搬送する。印刷部２３０は、搬送された宝くじ券（当選宝くじ券）の表面（図柄印刷面）に、ステップＳ４００での当選金データに基づいて「当選」の旨の印字と、その当選金の金額の印字とを行う。この印刷により、その当選宝くじ券について、当選であることと、その当選金が視認できるようになる。
【００３６】
こうして外れ券、当選券、高額当選券、強制返却券のストックが終了すると、クライアント端末２００は、挿入された宝くじ券について上記の処理を挿入された宝くじ券について総て行ったか否かを判定し（ステップＳ４３０）、否定判定するとステップＳ３１０以降の処理を繰り返す。一方、終了判定すれば、処理した宝くじ券について、クライアント端末２００での当選金支払の対象となる当選宝くじ券があるか否かを判定する（ステップＳ４４０）。このステップＳ４４０での判定は、ステップＳ３６０での支払可能当選金額の判定結果や、ステップＳ３８０での支払実行要否の判定結果が参照される。
【００３７】
このステップＳ４４０で支払対象の当選宝くじ券がないと否定判定すれば、宝くじ券を挿入口まで搬送して排出し、これをくじ購入者に返却し（ステップＳ４５０）。本ルーチンの処理を終了し、次回の宝くじ挿入（ステップＳ３００）に備える。このステップＳ４５０で排出される宝くじ券は、ステップＳ３５０、３７０、３９０でストックされた外れ宝くじ券・高額当選宝くじ券・強制返却宝くじ券である。
【００３８】
ステップＳ４４０で支払対象の当選宝くじ券があると肯定判定すると、図５に示すステップＳ４６０に移行し、ステップＳ４００で取得したデータ（当選金データ）に基づき支払当選金を集計し、その集計金額の金員をくじ購入者に支払う。この際、クライアント端末２００は、ステップＳ３２０で得た宝くじ番号等のデータと当選金金額とを対応付けた当選金支払テーブルを作成する。なお、当選金の集計の様子を、図６の表示画面に表示することもできる。
【００３９】
当選金の支払いが済むと、クライアント端末２００は、それ以降の処理に備えて宝くじ券を総て排出する（ステップＳ４７０）。ここで排出される宝くじ券は、ステップＳ３８０で当選金を支払うとした当選宝くじ券の他、当該くじ券と一緒に挿入された総ての宝くじ券である。
【００４０】
次に、クライアント端末２００は、当選宝くじ券の再読込を促す旨の表示を図６のメッセージ欄に表示する（ステップＳ４８０）。例えば、「支払対象とした当選宝くじ券を再挿入下さい。」との表示を行う。この表示に続いて、クライアント端末２００は、搬送部２５０のくじ券挿入孔の開放等を行って当選宝くじ券の再挿入を待機する（ステップＳ４９０）。ここで、当選宝くじ券の再挿入・図６の「確認」ボタンの操作があると、クライアント端末２００は、再挿入された宝くじ券のスキャン入力部２４０への搬送、当該スキャン入力部での宝くじ券の表裏面のスキャンを実行する（ステップＳ５１０）。これにより、挿入宝くじ券表裏面のイメージデータが所得される。この場合、再挿入される宝くじ券は、当選宝くじ券であることを予定しているので、取得されたくじ表面のイメージには、ステップＳ４１０で行った印刷結果も含まれることになる。つまり、図６に示す表面のイメージが取得される。
【００４１】
イメージデータの取得に続いては、その当選宝くじ券が販売店・販売業者の側で一時的な保管管理が必要な当選宝くじ券であるか否かを判定する（ステップＳ５２０）。この判定は、ステップＳ３４０での当選判定、ステップＳ３６０での支払可能当選金判定に基づいて行う。この処理は、次の理由により行う。
【００４２】
ステップＳ４６０で既に当選金を支払ったのであるから、その当選金を支払った販売店・販売業者は、その支払済み金額の金員を受託銀行から受け取ることになる。この受け取りがあるまでは、当選金支払済みの当選宝くじ券を保管する必要がある。また、錯誤による外れ券・高額当選金宝くじ券の再挿入にも対処する必要がある。
【００４３】
ステップＳ５２０で、保管管理が必要のない宝くじ券であると否定判定すると、クライアント端末２００は、挿入された宝くじ券が支払可能な当選金の当選宝くじ券でないので、図６のメッセージ欄に「支払当選金の宝くじ券を再投入下さい。」等のメッセージを表示して再挿入を促す（ステップＳ５３０）。次に、錯誤挿入の宝くじ券を排出し（ステップＳ５４０）、その確認のための図６の「確認」ボタン操作があると（ステップＳ５５０）、再投入を受けるための挿入口開放等を行って上記のステップＳ５１０に戻る。
【００４４】
ステップＳ５２０で保管管理が必要と判定すると、クライアント端末２００は、宝くじ券裏面の所定箇所への住所・氏名・電話番号等の記入が要するか否かを、ステップＳ４６０にて宝くじ番号等のデータと当選金金額とを対応付けた当選金支払テーブルに基づき判定する（ステップＳ５６０）。ここで、裏面記入が不要であると判断すれば、後述のステップＳ６１０に移行する。
【００４５】
一方、裏面記入が必要であると判定すると、ステップＳ５１０のスキャンデータに基づいて、裏面記入が済んでいるか否かを判定する（ステップＳ５７０）。ここで裏面記入がまだであれば、クライアント端末２００は、裏面記入を促すよう、図６のメッセージ欄に「裏面の必要事項を記入後、再投入下さい。」等のメッセージを表示する（ステップＳ５８０）。次に、裏面未記入の宝くじ券を排出し（ステップＳ５９０）、その確認のための図６の「確認」ボタン操作があると（ステップＳ６００）、再投入を受けるための挿入口開放等を行って上記のステップＳ５１０に戻る。
【００４６】
ステップＳ５７０で裏面記入済みの当選宝くじ券であると判断した場合と、ステップＳ５６０で裏面記入不要の当選宝くじと判断した場合、クライアント端末２００は、ステップＳ５１０で取得した当選宝くじ券表裏のイメージデータを記憶し（ステップＳ６１０）、このイメージデータにクライアント端末２００を他の端末から区別できる固有の情報を付加する（ステップＳ６２０）。図８は当選宝くじ券表裏のイメージデータにクライアント端末２００を区別できる固有情報を付加した様子を示す説明図である。
【００４７】
クライアント端末２００は、こうして作成した図８のデータをネットワークＮＷを介して当選金管理サーバ１１０に送信し（ステップＳ６３０）、当選宝くじ券を排出する（ステップＳ６４０）。その後は、新たな宝くじ券の挿入に備える。なお、図８のデータ送信は、ステップＳ６２０でのデータ作成の都度に送信するほか、所定時間ごと（例えば、毎午後０時、午後２時等）に送信するようにすることもできる。また、当選金管理サーバ１１０の側からの送信要求に合わせて送信するようにすることもできる。更に、データ送信に当たっては、暗号化等の処理を施すこともできる。
【００４８】
次に、当選金管理サーバ１１０の側で行う処理について説明する。図９は当選金管理サーバ１１０の側で行う当選金支払処理を示す説明図である。この当選金支払処理は、クライアント端末２００から送信を受けたデータに基づいて、当選金を販売業者口座に支払う（払い戻す）ためのものである。
【００４９】
図示するように、この当選金支払処理では、まず、当選金管理サーバ１１０は、クライアント端末２００から入力を受けた図８のデータ（当選宝くじ券表裏面のイメージデータと端末固有情報）を入力・記憶し（ステップＳ７００）、既述したクライアント端末２００でのステップＳ３２０と同様に当選判別情報と当選金額のデータを取得する（ステップＳ７１０）。この場合、クライアント端末２００からの送信データが、複数の当選宝くじ券についてのものであれば、当選金集計も行う。
【００５０】
次いで、当選金管理サーバ１１０の側でも独自に当選データ管理サーバ１００との間でデータ送受信を行い、当選判別・金額照会を行い（ステップＳ７２０）、その照合の良否を判定する（ステップＳ７３０）。照合不一致等あれば、クライアント端末２００に対して送信データにエラー等の嫌疑があることを送信して（ステップＳ７４０）、本ルーチンを終了する。このエラー送信と共に、当選宝くじ券の現物を銀行に持参する旨のメッセージをクライアント端末２００に送信するようにすることもできる。その一方、照合が正しければ、クライアント端末２００に固有の情報に基づいて、そのクライアント端末２００に対応する払い出し口座を検索し（ステップＳ７５０）、当該口座に当選金の立替金額を入金する（ステップＳ７６０）。
【００５１】
当選金管理サーバ１１０は、この立替金入金後、クライアント端末２００の側に入金結果（入金額・当選宝くじ券情報等）を送信し（ステップＳ７７０）、本ルーチンを終了する。この入金結果を受けたクライアント端末２００では、そのデータの入力を受けると、当選宝くじ券情報に対応するデータ、詳しくはステップＳ４００やステップＳ６１０で記憶したイメージデータを削除する。また、それまで保管していた当選宝くじ券の現物も破棄する。この破棄処分は、クライアント端末２００にて裁断等を行っても良く、クライアント端末２００のオペレータ（販売業者）の手作業とすることもできる。
【００５２】
以上説明したように、本実施例によれば、次のような利点がある。
（１）本実施例では、クライアント端末２００の側において、挿入宝くじ券をスキャン入力部２４０にて宝くじ券の表面（くじ図柄印刷面）をスキャンし（ステップＳ３１０）、宝くじ券の種別を判別するに足りる情報、例えば図３に示す宝くじ券の種別を特定する宝くじ情報（宝くじ種別・開催数字：○○自治宝くじ第１９○△回）や宝くじ番号（０×組１２３４５６）をデータ化する（ステップＳ３２０）。そして、この当選判別データに基づいて、当選データ管理サーバ１００との間でデータ送信による照合を行い（ステップＳ３３０、３４０）、当選宝くじ券については、クライアント端末２００にて、当選くじ券と判別できる旨の当選表示と当選金額を印刷する（ステップＳ４１０）。よって、この当選表示の印刷により、当選宝くじを外れ券と容易に区別でき、その後の取り扱いや、判別が簡便となる。しかも、本実施例では、図８に示すように、当選表示を宝くじ券の表面（図柄記入面）に印刷したので、当選宝くじ券をより明確にでき好ましい。
【００５３】
（２）本実施例では、クライアント端末２００にて、当選表示の印刷済みの当選宝くじ券をそのイメージデータとクライアント端末２００の固有情報とを付加して（ステップＳ６１０）、そのデータを当選金支払い管理の当選金管理サーバ１１０にネットワークＮＷを介して送信する（ステップＳ６３０）。そして、このデータ送信を受けた当選金管理サーバ１１０は、送信を受けたデータに基づいて、クライアント端末２００に合致する口座に当選金を支払うことが可能となる（ステップＳ７３０〜７６０）。よって、クライアント端末２００を有する販売店・販売業者にあっては、当選宝くじの受託銀行等への当選宝くじ券の持ち込み・保管が不要となると共に、精算スケジュールについての注意も不要となるで、当選金の立て替え払い決済が簡便となる。
【００５４】
（３）本実施例では、当選金管理サーバ１１０が当選金の立て替え払いを決済すると、その旨の信号をクライアント端末２００の側に送信する（ステップＳ７７０）。よって、クライアント端末２００の側では、今まで記憶していた当選宝くじ券についてのイメージデータを、決済後に破棄できるので、クライアント端末２００の記憶容量を不用意に大きくする必要がない。
【００５５】
（４）本実施例では、クライアント端末２００を有する販売店・販売業者において当選金の支払が許可されている当選金しかその支払を行わない（ステップＳ３６０）。しかも、その支払をクライアント端末２００が有する当選金支払部２６０で行うので、人手をかけずに当選金支払が可能となり、利便性が高まる。
【００５６】
（５）本実施例では、許可された当選金の支払に際しても、宝くじ券裏面への所定事項（住所・氏名・電話番号）の記入が必要であれば、その裏面記入が済むよう促す（ステップＳ５６０〜６００）。よって、裏面への所定事項の記入漏れをなくすことができ、当選金支払の信頼性が高まる。しかも、裏面記入が必要な当選宝くじ券については、宝くじ券表裏面のイメージデータを当選金管理サーバ１１０に送信するので（ステップＳ６２０）、当選金管理サーバ１１０の側での所定事項記入を促す必要がなく、簡便である。また、当選金管理サーバ１１０では、当該所定事項記入をイメージデータで確認した後に決済を図ることができるので（ステップＳ７００〜７６０）、決済の信頼性を高めることができる。
【００５７】
（６）本実施例では、当選金の支払が許可される場合であってもその支払の実行要否を判定するので（ステップＳ３８０）、高額当選金の宝くじ券が存在した場合や、くじ購入者が当選金支払を所望しない等の場合には、速やかに宝くじ券をくじ購入者に返却できる（ステップＳ４４０〜４５０）。よって、くじ購入者の意図に沿った当選金支払ができる。
【００５８】
（７）本実施例では、当選宝くじ券が販売店・販売業者の側で一時的な保管管理が必要な当選宝くじ券であるか否かの判定（ステップＳ５２０）を行う。当選金を支払った販売店・販売業者は、その支払済み金額の金員を受託銀行から受け取るまでは、当選金支払済みの当選宝くじ券を保管する必要がある。よって、上記の判定により、より確実にくじ保管をできるようになり、好ましい。更には、錯誤による外れ券・高額当選金宝くじ券の再挿入がなされても、当選金支払済みの当選宝くじ券の再挿入を促すことにより、当選金支払済みの当選宝くじ券の保管をより確実にできる。
【００５９】
本発明は上記した実施例や実施形態に限られるものではなく、その要旨を逸脱しない範囲において、種々の態様で実施可能である。例えば、本実施例では、挿入宝くじ券を外れ宝くじ券、高額当選宝くじ券、支払可能当選金宝くじ券、強制返却宝くじ券ごとにストックするよう説明したが（ステップＳ３５０、３７０、３９０、４２０）、これらを同一のストック箇所にストックするように構成することもできる。
【図面の簡単な説明】
【００６０】
【図１】実施例の宝くじサービスの概要を示す説明図である。
【図２】本実施例の宝くじサービスに含まれるクライアント端末をその機能ごとに示しつつ他の機器との関係を併記したブロック図である。
【図３】宝くじ券を模式的に表した説明図である。
【図４】宝くじ券の当選処理の内容の前半部分を示すフローチャートである。
【図５】当選処理の内容の後半部分を示すフローチャートである。
【図６】当選処理において種々の表示を行う表示部２２０の一例を示す説明図である。
【図７】当選宝くじ券における印刷の様子を示す説明図である。
【図８】当選宝くじ券表裏のイメージデータにクライアント端末２００を区別できる固有情報を付加した様子を示す説明図である。
【図９】当選金管理サーバ１１０の側で行う当選金支払処理を示す説明図である。
【符号の説明】
【００６１】
１００...当選データ管理サーバ
１１０...当選金管理サーバ
２００...クライアント端末
２１０...制御部
２１２...当選照合部
２１４...イメージデータ構築部
２１６...イメージデータ送信部
２１８...記憶部
２２０...表示部
２３０...印刷部
２４０...スキャン入力部
２５０...搬送部
２５２...搬送機構
２６０...当選金支払部
ＮＷ...ネットワーク
ＴＫ...宝くじ券
【図１】
2006107333.tif 000003
【図２】
2006107333.tif 000004
【図３】
2006107333.tif 000005
【図４】
2006107333.tif 000006
【図５】
2006107333.tif 000007
【図６】
2006107333.tif 000008
【図７】
2006107333.tif 000009
【図８】
2006107333.tif 000010
【図９】
2006107333.tif 000011